(57)【要約】      （修正有）【課題】本発明はユーザが簡単に最後まで化粧料を使い切ることができる化粧品を提供する。【解決手段】シート状基材１１と、前記シート状基材の一方の面上に配置された化粧料１２ａ、１２ｂ−１、１２ｂ−２と、前記化粧料を覆うフィルム状カバー部材１３とを含むメーキャップシート１０Ａ、１０Ｂを複数備えて、前記メーキャップシートは積層状態に配置されており、積層状態にある前記メーキャップシートの前面側と後面側とのそれぞれに対応する前表紙２ａと後表紙２ｂとを含むブックカバー部２を更に有し、前記メーキャップシートは綴じ代部分を有し、支持手段によって前記綴じ代部分が前記ブックカバー部の所定位置にて支持されている、ことを特徴とするブック型のシート状化粧品１。【選択図】図１
2017140169.tif 000002
【特許請求の範囲】
【請求項１】
シート状基材と、前記シート状基材の一方の面上に配置された化粧料と、前記化粧料を覆うフィルム状カバー部材とを含むメーキャップシートを複数備えて、前記メーキャップシートは積層状態に配置されており、
積層状態にある前記メーキャップシートの前面側と後面側とのそれぞれに対応する前表紙と後表紙とを含むブックカバー部を更に有し、
前記メーキャップシートは綴じ代部分を有し、支持手段によって前記綴じ代部分が前記ブックカバー部の所定位置にて支持されている、ことを特徴とするブック型のシート状化粧品。
【請求項２】
前記支持手段は、前記綴じ代部分を前記所定位置にて支持する機械的構成、または、前記綴じ代部分を互いに剥離可能に接着すると共に前記所定位置にて前表紙及び後表紙と剥離可能に接着する、前記綴じ代部分に設けた粘着層による化学的構成である、ことを特徴とする請求項１に記載のブック型のシート状化粧品。
【請求項３】
前記化粧料が配置された領域を避け、前記領域を囲むように設けた嵩上げ枠部が前記シート状基材の上記一方の面に更に配置してある、ことを特徴とする請求項１又は２に記載のブック型のシート状化粧品。
【請求項４】
前記フィルム状カバー部材は、不織布、ラミネート処理した不織布、及び樹脂シートよりなる群から選択された１つである、ことを特徴とする請求項１から３のいずれかに記載のブック型のシート状化粧品。
【請求項５】
前記ブックカバー部は、前記前表紙と後表紙とを接続する背表紙を更に含む、ことを特徴とする請求項１から４のいずれかに記載のブック型のシート状化粧品。
【請求項６】
請求項１から５に記載のブック型のシート状化粧品で採用される、交換可能なメーキャップシートであって、
シート状基材と、前記シート状基材の一方の面上に配置された化粧料と、前記化粧料を覆うフィルム状カバー部材とを少なくとも含む、ことを特徴とするメーキャップシート。
【発明の詳細な説明】
【技術分野】
【０００１】
本発明は、ファンデーション、アイシャドウ、口紅、頬紅などの固形化粧料をシート状の基材（以下、シート状基材）に接着し、カバー部材で覆うことにより作製した化粧料保持シート（以下、メーキャップシート）を、本（ブック）のページに見立てて、外観をブック状に仕上げた、ブック型のシート状化粧品に関する。
【背景技術】
【０００２】
従来、例えばファンデーションは深さのある皿に収納されており、ユーザがファンデーションを使用するときには、ファンデーションの表面をスポンジで撫でて、ファンデーションを掻き取りながら化粧を行う動作を行っている。ファンデーションの残量が十分にあるときには、スポンジに必要量のファンデーションを取りながらスムーズな化粧動作を行える。
【発明の概要】
【発明が解決しようとする課題】
【０００３】
しかしながら、皿の中のファンデーションの量が少なくなってきたとき、次のような問題が生じる。皿の底面、特に底面の角部に環状に残り張り付いたファンデーションをスポンジで掻き取ることは困難で、ブラシで引っ掻く、化粧水で溶かすなどの特別な作業を行っているユーザもおり、ユーザにとっては煩雑である。このような作業を面倒に感じるユーザは、ファンデーションが残っている皿を廃棄して、新しいものに交換するので不経済である。
【０００４】
本発明の目的は、先ず、上記の課題を解決して、ユーザが簡単に最後まで化粧料を使い切ることができる化粧品を提供することにある。また、利便性や携帯性、そして意匠性にも優れている、新規な化粧品を提供することにある。
【課題を解決するための手段】
【０００５】
上記目的は、シート状基材と、前記シート状基材の一方の面上に配置された化粧料と、前記化粧料を覆うフィルム状カバー部材とを含むメーキャップシートを複数備えて、前記メーキャップシートは積層状態に配置されており、
積層状態にある前記メーキャップシートの前面側と後面側とのそれぞれに対応する前表紙と後表紙とを含むブックカバー部を更に有し、
前記メーキャップシートは綴じ代部分を有し、支持手段によって前記綴じ代部分が前記ブックカバー部の所定位置にて支持されている、ことを特徴とするブック型のシート状化粧品により達成することができる。
【０００６】
そして、前記支持手段は、前記綴じ代部分を前記所定位置にて支持する機械的構成、または、前記綴じ代部分を互いに剥離可能に接着すると共に前記所定位置にて前表紙及び後表紙と剥離可能に接着する、前記綴じ代部分に設けた粘着層による化学的構成とすることができる。
【０００７】
また、前記化粧料が配置された領域を避け、前記領域を囲むように設けた嵩上げ枠部が前記シート状基材の上記一方の面に更に配置してある構成としてもよい。
【０００８】
また、前記フィルム状カバー部材は、不織布、ラミネート処理した不織布、及び樹脂シートよりなる群から選択された１つとしてもよい。
さらに、前記ブックカバー部は、前記前表紙と後表紙とを接続する背表紙を更に含むようにしてもよい。
【０００９】
上記に記載のブック型のシート状化粧品で採用される、交換可能なメーキャップシートであって、シート状基材と、前記シート状基材の一方の面上に配置された化粧料と、前記化粧料を覆うフィルム状カバー部材とを少なくとも含む、メーキャップシートを交換用（リフィル）として準備すれば、前記ブックカバー部を継続的に使用できるので経済的である。
【発明の効果】
【００１０】
本発明のブック型のシート状化粧品は、ユーザが意識することなくメーキャップシート上の化粧品を最後まで使い切ることができる。よって、ユーザフレンドリーで経済的な化粧品として提供できる。
また、本発明のブック型のシート状化粧品は、ブックカバー部に複数のメーキャップシート（化粧料）を備えた構造であるので、化粧をする際の利便性に富み、携帯性にも優れている。そして、外観がブック型であるので、表紙を美しくデザインすることでユーザに訴求可能な意匠性にも優れた化粧品とすることができる。
更には、ブックカバー部内の各メーキャップシートは着脱自在とすることができるので、化粧品メーカがリフィルを提供すればブックカバー部を継続的に使用でき、経済的な化粧品となる。
【図面の簡単な説明】
【００１１】
【図１】本発明の一実施形態に係るブック型のシート状化粧品を説明するための図である。
【図２】図１のブック型のシート状化粧品に含まれる積層状態にある複数のメーキャップシートを説明するために示した図である。
【発明を実施するための形態】
【００１２】
以下、本発明の実施の形態を、図を参照して詳細に説明する。
図１は、本発明の一実施形態に係るブック型のシート状化粧品１（以下では、単に化粧品１と称す）について示した図である。この化粧品１は、従来において一般的な化粧品の外観とは全く異なり、ブック（本）型の外観を有するように設計されている。
このブック型の化粧品１に含まれる1ページに相当する構成を、本明細書ではメーキャップシート１０と称し、このメーキャップシート１０には所望の化粧料が保持されている。化粧品１は、本が複数のページを有しているように、内部に複数個（複数枚）のメーキャップシート１０を積層状態にして保持している。
【００１３】
積層状態に配置されているメーキャップシート１０の前面側と後面側（図１の上段の図では上下）のそれぞれには、前表紙２ａと後表紙２ｂとが設けてある。このように、化粧品１は少なくとも前表紙２ａと後表紙２ｂとを含むブックカバー部２を備えることで、これらの内側で積層状態にあるメーキャップシート１０を保護しつつ、ブック型の外観を実現できる。
なお、図１では好適な形態例として、背表紙２ｃを更に備えたブックカバー部２を例示している。このように背表紙２ｃを採用した場合、図示のように、背表紙２ｃが前表紙２ａと後表紙２ｂとの間に位置し、これらと一体的に接続されているブックカバー部２を形成するのが好ましい。
上記前表紙２ａ、後表紙２ｂおよび背表紙２ｃには、文字、絵柄そして色を任意に設定して、ユーザに訴求するデザインとすればよい。
【００１４】
図１の下段には、上記ブックカバー部２内に積層状態で支持されるメーキャップシート１０が示され、２つの形態のメーキャップシート１０Ａ、１０Ｂを取り出して例示している。
化粧品１はブックカバー部２内に後述するメーキャップシート１０を支持するための支持手段を具備しており、各メーキャップシート１０は本を構成している１ページの様に積層状態で保持されている。なお、積層状態を実現するための具体的構成については、後述する。
【００１５】
図１のメーキャップシート１０Ａは所望の大きさに形成してよいが、例えばＢ６サイズ（１８２ｍｍ×１２１ｍｍ）の本を想定して、メーキャップシートを形成することができる。
各メーキャップシート１０（１０Ａ、１０Ｂ）は、シート状基材１１、このシート状基材１１の上面（一方の面）に配置された化粧料１２、この化粧料１２を覆うフィルム状カバー部材１３を含んで構成することができる。
【００１６】
そして、メーキャップシート１０の好適形態としては、中央部に配置した化粧料１２が存在する領域を避け、且つ、その領域を囲むようにして嵩上げ枠部１５を設けた構造を採用するのがよい。図１で例示しているメーキャップシート１０Ａ、１０Ｂでは、嵩上げ枠部１５の外周はシート状基材１１の外周と一致するように設計されている。そして、嵩上げ枠部１５の内周から間隔を取って（余白１４を設けて）化粧料１２が配置されている。このような嵩上げ枠部１５を設けておくと、メーキャップシート１０を補強しつつ、これよりも内側に存在する化粧料１２を保護することができる。
なお、例えばメーキャップシート１０がＢ６程度の大きさである場合、上記嵩上げ枠部１５は例えば枠幅１５ｍｍ程度、また余白１４は例えば１．５ｍｍ〜３ｍｍの幅に設定するのが好ましい。余白１４はシート状基材１１が露出している領域となる。
【００１７】
メーキャップシート１０は、化粧料１２の上方を覆うフィルム状カバー部材１３を含んでいる。このフィルム状カバー部材１３は、少なくとも化粧料１２の上方を覆うように配置されていればよいが、図１の例ではメーキャップシート１０の全体を覆うように（すなわち、シート状基材１１と略同じ大きさに）設けてある。このフィルム状カバー部材１３については、後述する図２を用いて詳述する。
【００１８】
さて、図１で左側のメーキャップシート１０Ａは、1つの化粧料１２ａだけを中央部の全面に配置した場合を例示している。ファンデーションや頬紅、口紅等は相対的な使用量が他の化粧料と比較して多い。そこで、使用量が多い化粧料の場合は、図１の全面タイプのメーキャップシート１０Ａを採用するのが好ましい。そして、本化粧品１の場合は、メーキャップシート１０の枚数を適宜に増減できるので、ユーザの使用状況を考慮したセットとすればよい。例えば、ファンデーションのメーキャップシート１０Ａは３枚、頬紅メーキャップシート１０Ａは２枚、そして口紅のメーキャップシート１０Ａは１枚であるが、好みの口紅の色により複数色を準備してセットすればよい。
【００１９】
一方、右側のメーキャップシート１０Ｂは分割面タイプのメーキャップシートである。このメーキャップシート１０Ｂは、一回の使用量が相対的に少ないアイシャドウなどの化粧料に採用でき、１枚のメーキャップシート１０Ｂに異なる色の化粧料１２ｂ−１、１２ｂ−２とすることができる。図１のメーキャップシート１０Ｂは単なる例示であり、１つのメーキャップシート上に設定する化粧料の数や、化粧料の組合せなどは適宜に変更することができる。
【００２０】
１つの化粧品１内にセットする具体的なメーキャップシート１０（１０Ａ、１０Ｂ）については、化粧品メーカが設計した既成のセットにて提供するようにしてもよいし、ユーザが好みのメーキャップシート１０を選択してセットすることを許容したオーダーメイドタイプの化粧品１としてもよい。
【００２１】
図２を参照して、更に本発明のブック型の化粧品１におけるメーキャップシート１０の具体的な形態、複数のメーキャップシート１０を積層してある構成について説明する。
図２は、前述したブックカバー部２内に積層状態で配置されたメーキャップシート１０の様子を模式的に示している断面図である。ここでは、上３枚のメーキャップシート１０と下３枚のメーキャップシート１０の間を、本のページを開くように少し広げた様子として示している。図２の符号は図１と対応している。最下層のメーキャップシート１０の断面を円内に拡大して示している。
【００２２】
前述したように、各メーキャップシート１０は、シート状基材１１の一方の面上に配置された化粧料１２と、この化粧料を覆うフィルム状カバー部材１３とを含んで構成されている。よって、図２で示すように複数のメーキャップシート１０が積層状態となったときには、下側に位置したメーキャップシート１０のフィルム状カバー部材１３と、その上側に位置したメーキャップシート１０のシート状基材１１とが対面接触している状態で順次に積層されることになる。このような状況となるので、フィルム状カバー部材１３が化粧料１２の上方を覆って、上側に位置したメーキャップシートのシート状基材１１との接触から保護する機能を果たしていることが理解できる。
よって、フィルム状カバー部材１３は、少なくとも化粧料１２の上方を覆っていればよい。ただし、ユーザが化粧料を使用する際にはメーキャップシート１０の表面からフィルム状カバー部材１３を剥がし（めくり）、使用後にはまたフィルム状カバー部材１３を貼り付ける（被せる）という動作を行うことを考えると、フィルム状カバー部材１３の一部を固定しておくのが好ましい。更に、メーキャップシート１０の製造効率などを考慮すると、フィルム状カバー部材１３はシート状基材１１と同じ大きさとし、後述する綴じ代部分３０で固定し、他の領域を剥離可能に設計しておくのが好ましい。
図２で例示している形態の場合、シート状基材１１上に嵩上げ枠部１５を接着固定し、フィルム状カバー部材１３は嵩上げ枠部１５との間に粘着層（図示せず）を設け、フィルム状カバー部材１３を剥離可能にした配置した構成を採用できる。なお、粘着層については、更に後述する。
【００２３】
次に、複数のメーキャップシート１０を積層状態に維持する構造について説明する。メーキャップシート１０を本の１ページに見立てると、同じ向きに揃えて、支持手段を用いて所定位置（図では長方形の一辺）にて支持することが必要である。
ここで、実際の本は印刷ページの一辺をホットメルト接着剤などで固定する手法を採用している。本の場合には、各ページを着脱することを想定していないので固定する手法を採用できる。しかし、本化粧品１のメーキャップシート１０は着脱可能に設計しておくことで、化粧品１の商品価値を格段に高めることができる。なぜなら、使い終わったメーキャップシート１０を新たなメーキャップシート１０（リフィル）と交換可能に設計しておくことで、ブックカバー部２を継続使用できる経済的な化粧品にすることができる。
また、ユーザが複数種類のメーキャップシートから任意のものを選び、お気に入りのメーキャップシート１０を組合せて、自分好みのオーダーメイドのセットとすることもできる。一方、化粧品メーカは、複数種類のメーキャップシート１０をリフィル商品として提供して販売すればよいだけである。
【００２４】
図２を参照して、採用可能な支持手段について説明する。ここに例示する構成では、メーキャップシート１０の一辺に綴じ代部分３０が設定してあり、この綴じ代部分３０にパンチ穴３１が形成してある。そして、ブックカバー部２の後表紙２ｂには前記パンチ穴３１内を貫通するピン２１が立設してある。このようなパンチ穴３１とピン２１を背表紙２ｃに沿った方向において複数設定しておけば、積層状態のメーキャップシート１０をブックカバー部２の所定位置に支持できる。そして、例えば上記ピン２１の先端部２２に雌ネジを形成しておき、この雌ネジと噛合う雄ネジ２３を設けて、メーキャップシート１０の抜け出しを防止すればよい。
ここでの例は後表紙２ｂに設けたピン２１を機械的構成とした支持手段であるが、支持手段は公知の構成を適宜に採用してよい。バインダー式のノートでは、ルーズリーフを任意に着脱するための機械的構成として、リング状に形成した支持要素を開閉可能としてあるもの、また積層状態の紙資料やルーズリーフを前後から板材で挟んで挟持するグリップ型の支持要素などが知られているが、これらの機械的構成を流用してメーキャップシート１０を支持してもよい。
なお、図２における、綴じ代部分３０は、図１で示しているメーキャップシート１０Ａ、１０Ｂの左端に専用の綴じ代を追加した形態例である。これに限らず、図１で例示しているメーキャップシート１０Ａ、１０Ｂの端部（嵩上げ枠部１５が存在する領域での端部）に綴じ代部分を設定してもよい。
【００２５】
さらに、図示は省略するが、上記綴じ代部分３０に剥離可能な粘着層を設け、この粘着層によって上下に位置するメーキャップシート１０を互いに積層接着するようにしてもよい。そして、最上層および最下層に位置するメーキャップシート１０の綴じ代部分３０に設けた粘着層を更に前述した前表紙２ａ、後表紙２ｂの内側面に付着するように設計すればよい。この場合の支持手段は粘着層による化学的構成により実現されることになる。
本発明の化粧品１に含まれる支持手段は、積層状態にある前記メーキャップシート１０をブックカバー部２の所定位置に支持でき、必要なときにメーキャップシートを１枚ずつ取り外せる構成を実現できれば特に限定する必要はない。
【００２６】
以下においては、ブック型の化粧品１を構成する、前述した各構成部に採用できる構成について説明する。
上記メーキャップシート１０のシート状基材１１は透明なものでも、不透明なものでもよい。また、透明な樹脂フィルムを採用して、その背面に印刷したり、紙製の台紙などを添付したりして不透明化してもよい。シート状基材１１としては、例えばポリエステルフィルム、ポリエチレンフィルム、ポリプロピレンフィルムおよびポリカーボネートフィルムから選択されるいずれかを採用することができるが、化粧料に含まれる油分に対する安定性の面からポリエステルフィルムが好適である。ポリエステルフィルムは着色或いは白化処理を施して隠蔽性を備えたものでもよいし、透明であってものでもよい。また、透明なシート状基材１１の背面側に印刷をしたり、不透明な台紙を貼着したりしてもよい。
【００２７】
シート状基材１１上には、従来公知のファンデーション、アイシャドウ、口紅などを化粧料１２として適宜に配置することができる。化粧料を配置する際に、化粧料自身が所定の文字・図形を表示するように設計してもよく、このようにすればユーザの視覚に訴えることができる意匠性を備えたメーキャップシート１０とすることができる。
なお、化粧料１２がファンデーションなど、その主体が粉体である化粧料である場合、シート状基材１１との相性にもよるが接着性に劣り、脱落し易い（剥がれ易い）場合がある。このような場合の対処としては、シート状基材１１上に接着力を高めるための下地処理を施しておくのが好ましい。ここでの下地処理としては、シート状基材１１の表面への粗面化処理または接着剤塗布処理とすることができ、この両方の処理を行ってもよい。
上記粗面化処理としては、例えばサンドブラスト加工やエンボス加工が挙げられ、シート状基材１０の表面粗さは中心線平均粗さ１〜１０μｍ（ＪＩＳ  Ｂ０６０１に記載の方法に準じて測定）であることが望ましい。
また、シート状基材１１に塗布する接着剤は、化粧料をシート状基材１１に配置する際に化粧料を分散するために用いている溶剤によって接着性を発現するものを用いるのが望ましい。接着剤は、化粧料の分散に用いられる溶剤に応じて選択可能であるが、例えば溶剤としてエタノール、イソプロピルアルコールなどの低級アルコールを用いる場合は、アクリル樹脂、ウレタン樹脂、ポリ酢酸ビニル、エチルセルロース、ポリビニルピロリドンが挙げられる。
【００２８】
化粧料１２を覆う、上記フィルム状カバー部材１３については、不織布、ラミネート処理した不織布、及び樹脂シートよりなる群から選択したものを採用すればよい。ここで樹脂シートとする場合には、透明なもの、半透明なもの、不透明なもの、或いはその一部が透明や半透明なものなどを、適宜に選択して用いることができる。このような樹脂シートとしては、ポリエステルフィルム、ポリエチレンフィルム、ポリプロピレンフィルムおよびポリカーボネートフィルムから選択することができる。
フィルム状カバー部材１３として、不織布を採用すると、メーキャップシート１０の上部を不透明感のあるシートで覆って高級感を出すことができる。化粧料との関係で、不織布を採用するのが困難な場合には、ラミネート処理した不織布を採用してもよい。
【００２９】
また、上記嵩上げ枠部１５に用いる材料ついては特に限定はなく紙製あるは樹脂製よりなるシート状の素材を適宜に採用すればよい。
嵩上げ枠部１５はシート状基材１１上に確実に接着固定しておくのが好ましく、この場合の接着剤は例えばゴム系、アクリル系、シリコーン系、ウレタン系、酢酸ビニル系、エチレン−酢酸ビニル系から選択するのが好ましい。
【００３０】
なお、前述したメーキャップシート１０同士を剥離可能に接着する粘着層を構成する粘着剤やフィルム状カバー部材１３を嵩上げ枠部１５に対して剥離可能に接着する粘着層を構成する粘着剤は、例えばゴム系、アクリル系、シリコーン系およびウレタン系から適宜に選択して採用すればよい。
なお、フィルム状カバー部材１３と嵩上げ枠部１５との間に配置する粘着層については、フィルム状カバー部材１３、嵩上げ枠部１５のいずれの側に設けてもよいが、フィルム状カバー部材１３を剥がしたときにフィルム状カバー部材１３側に粘着剤が付着しているように設計するのが好ましい。なぜなら、このようにしておけば、化粧料１２の周りに存在する嵩上げ枠部１５上の粘着層に化粧料が付着するということを気に掛けないで、ユーザは化粧料１２を使用することができる。
【００３１】
メーキャップシート１０は従来の印刷技術等を流用して化粧料の部分を製造することができる。例えば、シート状基材１１上に、スクリーン印刷装置を用いて、化粧料１２を所定位置に配置（印刷）する。具体的には、化粧料１２を揮発性用溶剤に分散した印刷用のスラリーに調製し、シート状基材１１上の予定位置に印刷をする。必要に応じて、複数回の印刷を行う。化粧料をスラリー化するために混合される揮発性用溶剤は、公知のものをいずれも使用でき、例えば、エチルアルコール、イソプロピルアルコール等の低級アルコール、低沸点炭化水素、低沸点シリコーン油、環状シリコーン、水、あるいはこれらの混合物が挙げられる。混合する比率は化粧料の構成や印刷条件に応じて適宜調整すればよい。
【００３２】
以上のような構成を備えた本発明のブック型のシート状化粧品１は、自宅において化粧台の上に置いた本の様に、或いは本物の本と並べて本棚に収納するということが可能である。
使用に際しては使用したい化粧料を保持しているメーキャップシート１０を開き、フィルム状カバー部材１３をめくって化粧料１２を使用する。化粧料１２は平坦なシート状基材１１上の中央部に配置してあるので、最後までスムーズに使用できる。
そして、ファンデーション等の使用量が相対的に多い化粧料の場合にメーキャップシート１０を複数枚一緒に配置しておけば、ファンデーションが途中で終わったような場合でも、直ぐ後のメーキャップシート１０を使用して化粧の動作を継続できるので極めて利便性の高い、ユーザフレンドリーな化粧品となる。
【００３３】
化粧料１２が無くなった（使用が完了した）メーキャップシート１０は、前述した支持手段による支持状態を解除することで、積層状態にある複数のメーキャップシート１０の中から簡単に取り外すことができる。よって、化粧品メーカがメーキャップシート１０のリフィルを提供していれば、ユーザにより簡単に補充して、化粧品１を継続使用できるので経済的である。
本化粧品１は、ブック型で複数の化粧料を１つのホルダにて保持している形態であるから、携帯性にも優れている。携帯性を重視する場合、ブック型の化粧品１を、予め準備した函（ブックケース）に更に収納するようにしてもよい。このようにすれば化粧品１をより高価で、豪華な商品に高めることができる。そして、上記函により化粧品１のメーキャップシート１０をより確実に保護できる。
【００３４】
以上で実施形態の説明を終えるが、本発明は上記実施形態に限定されるものではなく、その要旨を逸脱しない範囲で種々変更して実施することができることは言うまでもない。
【００３５】
上記で例示したメーキャップシート１０のシート状基材１１は平坦なフィルム状であり、このシート状基材１１の上に印刷技術等を流用して化粧料１２を平面状に形成する場合につて説明したがこれに限らない。シート状基材１１の一部に、あまり深くないすり鉢状の凹部（例えば直径が１０ｍｍ程度で、深さが３ｍｍ程度）を複数形成しておき、この凹部内に加熱溶解した化粧料（例えば、口紅）を流し込み、その後、冷却固化させることにより形成した化粧料１２を含む変形型のメーキャップシート１０を採用してもよい。本化粧品１内のメーキャップシート１０については、その厚さが例えば１０ｍｍを超えるような極端な厚さでなければ、その厚さを特に制限する必要もない。
また。図１で例示のメーキャップシート１０は長方形に形成した例を示したが、このように長方形に限定する必要はなく、他の形状例えば正方形、円形、楕円形など任意の形状としてもよい。同様に、シート状基材１１上に配置する化粧料１２の形状も長方形に限らず円形、楕円形、星形など任意の形状としてユーザへの訴求力を高めるように適宜の変更を加えてもよい。
【符号の説明】
【００３６】
１                                          ブック型のシート状化粧品
２                                          ブックカバー部
２ａ                                        前表紙
２ｂ                                        裏表紙
２ｃ                                        背表紙
１０（１０Ａ，１０Ｂ）                      メーキャップシート
１１                                        シート状基材
１２（１２ａ；１２ｂ−１、１２ｂ−２）      化粧料
１３                                        フィルム状カバー部材
１４                                        余白
１５                                        嵩上げ枠部
２１                                        ピン
２２                                        ピンの先端部
２３                                        雄ネジ
３０                                        綴じ代部分
３１                                        パンチ穴
【図１】
2017140169.tif 000003
【図２】
2017140169.tif 000004